(57)【要約】【課題】可動機構が焦点変位から位置決めまでに発生する微動を吸収することにより、可動機構を安定した動態レスポンスタイムに抑制するレンズの焦点駆動構造の動態レスポンスタイム抑制方法及び構造の提供。【解決手段】レンズの焦点駆動構造の動態レスポンスタイム抑制方法及び構造は、一可動機構、一不可動機構及び少なくとも一振動吸収素子を含む。そのうち、この可動機構は少なくとも一基台、基台の中心に設置したレンズ、基台四周を覆う一コイルを含む。その不可動機構は少なくとも一フレーム、一前蓋及び一底蓋を含む。このフレーム四周に数個の磁性素子を嵌合し、中心には可動機構を納置する。振動吸収素子は可動機構と不可動機構の間に連接し、可動素子が焦点の変位から位置決めに発生する微動を吸収し、可動機構を安定した動態レスポンスタイムに抑制する。【選択図】図４
2008191497.tif 000002
【特許請求の範囲】
【請求項１】
レンズの焦点駆動のレスポンスタイム抑制方法において、
少なくとも一振動吸収素子を可動機構と不可動機構の間に連接し、
振動吸収素子により可動機構を焦点変位から位置決めする時に発生する微動を吸収することより、可動機構を安定した動態レスポンスタイムに抑制するというステップを含むことを特徴とするレンズの焦点駆動のレスポンスタイム抑制方法。
【請求項２】
請求項１記載のレンズの焦点駆動のレスポンスタイム抑制方法において、前記少なくとも一振動吸収素子を連接するというステップは、そのステップ前に少なくとも一納置槽口を可動機構と不可動機構の間に設置して振動吸収素子を納置するというステップを含むことを特徴とするレンズの焦点駆動のレスポンスタイム抑制方法。
【請求項３】
請求項１記載のレンズの焦点駆動のレスポンスタイム抑制方法において、前記振動吸収素子は、軟性のジェル、軟性バネもしくは軟性ゴムとすることを特徴とするレンズの焦点駆動のレスポンスタイム抑制方法。
【請求項４】
請求項１記載のレンズの焦点駆動のレスポンスタイム抑制方法において、前記可動機構は、基台を含み、その基台の中心にレンズを設置し、その基台四周はコイルで覆うことを特徴とするレンズの焦点駆動のレスポンスタイム抑制方法。
【請求項５】
請求項１記載のレンズの焦点駆動のレスポンスタイム抑制方法において、前記不可動機構は、
中心に可動機構を納置し、四周に数個の磁性素子を嵌合する一フレームと、
一前蓋と、
一底蓋と
上述のすべての素子を覆う筐体を含むことを特徴とするレンズの焦点駆動のレスポンスタイム抑制方法。
【請求項６】
請求項１記載のレンズの焦点駆動のレスポンスタイム抑制方法において、前記可動機構と不可動機構はその間に少なくとも一弾性素子を連接し、且つその弾性素子の可動部は可動機構に連接し、不可動部は不可動機構に連接し、振動吸収素子は弾性素子の可動部と不可動機構の間に連接することを特徴とするレンズの焦点駆動のレスポンスタイム抑制方法。
【請求項７】
レンズの焦点駆動構造の動態レスポンスタイム抑制構造において、
少なくとも基台を含み、その基台の中心に一レンズを設置し、基台四周をコイルで覆う一可動機構と、
四周に数個の磁性素子を嵌合し、中心には可動機構を納置する一フレームと、一前蓋と、一底蓋を少なくとも含む不可動機構と、
可動機構と不可動機構の間に連接し、可動機構の焦点変位から位置決めまでに発生する微動を吸収して、可動機構を安定したレスポンスタイムへ抑制する少なくとも一振動吸収素子を含むことを特徴とするレンズの焦点駆動構造のレスポンスタイム抑制構造。
【請求項８】
請求項７記載のレンズの焦点駆動構造のレスポンスタイム抑制構造において、前記可動機構と不可動機構は、その間に納置槽口を設置して振動吸収素子を納置することを特徴とするレンズの焦点駆動構造のレスポンスタイム抑制構造。
【請求項９】
請求項８記載のレンズの焦点駆動構造のレスポンスタイム抑制構造において、前記納置槽口は、前蓋もしくは底蓋上に設置することを特徴とするレンズの焦点駆動構造のレスポンスタイム抑制構造。
【請求項１０】
請求項７記載のレンズの焦点駆動構造のレスポンスタイム抑制構造において、前記振動吸収素子は、軟性ジェル、軟性バネもしくは軟性ゴムとすることを特徴とするレンズの焦点駆動構造のレスポンスタイム抑制構造。
【請求項１１】
請求項７記載のレンズの焦点駆動構造のレスポンスタイム抑制構造において、前記レンズの焦点駆動構造の動態レスポンスタイム抑制構造は、可動部と不可動部を設置し、可動部は可動機構に連接し、不可動部は不可動機構に連接し、且つ振動吸収素子は可動部と不可動機構の間に連接する少なくとも一弾性素子を含むことを特徴とするレンズの焦点駆動構造のレスポンスタイム抑制構造。
【発明の詳細な説明】
【技術分野】
【０００１】
本発明は、レンズの焦点駆動構造の動態レスポンスタイム抑制方法及び構造に関するもので、特に抑制可能な極小型レンズの焦点駆動のレスポンスタイムに関し、レンズの焦点変位に依る微動を下げ、スピーディに安定させる構造である。
【背景技術】
【０００２】
科学の進歩により、デジタルカメラの体積は相当に小さくなり、現在、携帯電話の多くにはデジタルカメラ機能が設置されている。それは撮影レンズのモジュール化及び微小型の進歩に依る。また微小型レンズ内には多種類の自動焦点駆動構造があり、目下最も普通に使用されているのが、ボイスコイルモータ（ＶＣＭ）で、体積が小さい、電気量が少ない、動態変位が正確及び低価格等の長所を具え、微小型レンズの自動焦点の短距離駆動に適している。
【０００３】
図１に示すのは、公知のレンズ焦点構造の立体分解概略図である。そのうち、焦点構造は、上蓋１０、下底蓋１１及び外フレーム１２を含む。この外フレーム１２内の周囲辺には各々四磁石１３を嵌合し、レンズフレーム１４内にはネジ紋を設置し、そこにレンズ１５を回転させて支持する。このレンズフレーム１４の外周にはコイル１６を設置し、またレンズフレーム１４は、外フレーム１２内の四磁石１３の中心で可動でき、コイル１６は通電により、磁場極性と、四磁石１３の抵抗もしくは吸着を発生し、レンズフレーム１４を駆動して焦点変位を行う。またレンズフレーム１４は、上下各バネ片１７により、四磁石１３の中心箇所で支える。コイル１６に電流が流れると、このコイル１６の電流の磁場作用と磁石１３により、押圧力を発生し、バネ片１７によってレンズフレーム１４を押して下から上に変位して位置決めして止まる。
【０００４】
しかしながら、自動焦点機能だけを具えたレンズは、焦点の変位から位置決め停止へ変位する時、微動が発生し、その後ゆっくりと安定する。この静止変位から停止までに掛かる時間を我々はレスポンスタイム(Response Time)と呼ぶ。図２に示すのは、公知の焦点構造の動態レスポンス波形の表示図であるが、図２でわかるとおり、1.34035秒で安定し、その時間はかなり長いと言える。
【０００５】
この動態レスポンスタイムは、レンズモジュールが焦点を合わせる時間の長さに影響する。レンズモジュールの品質に大きな影響を与え、特に焦点に掛かる時間の長さに影響を与える。動態レスポンスタイムの時間が長ければ長いほど、必要な焦点の時間が長くなる。このため動態レスポンスタイムの時間を短縮することによって、焦点に掛かる時間を有効に改善することができる。目下この動態レスポンスタイムに対して改善する文献または技術は表れていない。
【発明の開示】
【発明が解決しようとする課題】
【０００６】
レンズの焦点駆動構造の動態レスポンスタイム抑制方法及び構造を提供し、レンズの焦点駆動構造が変位から位置決めに至るまでの停止変位時に発生する微動を吸収し、レスポンスタイムを抑制することによって、品質を向上させ、省電力及び機能の向上を達成する効果を具えることを本発明の目的とする。
【０００７】
上述の目的のため、本発明はレンズの焦点駆動のレスポンスタイム抑制方法を提供する。このレンズ焦点駆動構造は、一可動機構及び一不可動機構を具える。この方法は、先ず可動機構と不可動機構の間に少なくとも一納置槽口を設置し、振動吸収素子を納置することによって、可動機構と不可動機構に振動吸収素子を連接し、振動吸収素子が可動機構の焦点変位から位置決めするまでに発生する微動を吸収し、可動機構を安定した動態レスポンスタイムに抑制する。
【０００８】
上述の目的のため、本発明は、レンズの焦点駆動のレスポンスタイム抑制構造を提供し、一可動機構、一不可動機構及び少なくとも一振動吸収素子を含む。そのうち、可動機構は、少なくとも基台を含み、基台の中心にレンズを設置し、基台四周はコイルで覆う。不可動機構は少なくとも一フレーム、一前蓋及び一底蓋を含む。このフレーム四周は、数個の磁性素子を設置し、中心には可動機構を設置する。この振動吸収素子は可動機構と不可動機構の間に連接し、可動機構の焦点変位から位置決めまでに発生する微動を吸収することによって、可動機構を安定した動態レスポンスタイムに抑制する。
【０００９】
上述の目的のため、本発明はレンズの焦点駆動構造の動態レスポンスタイム抑制方法及び構造を提供し、そのうち更に少なくとも一弾性素子を含み、可動部と不可動部を設置する。この可動部は可動機構に連接し、不可動部は、不可動機構に連接する。更に振動吸収素子は、バネ素子の可動部と不可動部の間に連接し、可動機構が焦点変位から位置決めまでに発生する微動を吸収することにより、可動機構を安定した動態レスポンスタイムに抑制する。
【課題を解決するための手段】
【００１０】
請求項１の発明は、レンズの焦点駆動のレスポンスタイム抑制方法において、
少なくとも一振動吸収素子を可動機構と不可動機構の間に連接し、
振動吸収素子により可動機構を焦点変位から位置決めする時に発生する微動を吸収することより、可動機構を安定した動態レスポンスタイムに抑制するというステップを含むことを特徴とするレンズの焦点駆動のレスポンスタイム抑制方法としている。
請求項２の発明は、請求項１記載のレンズの焦点駆動のレスポンスタイム抑制方法において、前記少なくとも一振動吸収素子を連接するというステップは、そのステップ前に少なくとも一納置槽口を可動機構と不可動機構の間に設置して振動吸収素子を納置するというステップを含むことを特徴とするレンズの焦点駆動のレスポンスタイム抑制方法としている。
請求項３の発明は、請求項１記載のレンズの焦点駆動のレスポンスタイム抑制方法において、前記振動吸収素子は、軟性のジェル、軟性バネもしくは軟性ゴムとすることを特徴とするレンズの焦点駆動のレスポンスタイム抑制方法としている。
請求項４の発明は、請求項１記載のレンズの焦点駆動のレスポンスタイム抑制方法において、前記可動機構は、基台を含み、その基台の中心にレンズを設置し、その基台四周はコイルで覆うことを特徴とするレンズの焦点駆動のレスポンスタイム抑制方法としている。
請求項５の発明は、請求項１記載のレンズの焦点駆動のレスポンスタイム抑制方法において、前記不可動機構は、
中心に可動機構を納置し、四周に数個の磁性素子を嵌合する一フレームと、
一前蓋と、
一底蓋と
上述のすべての素子を覆う筐体を含むことを特徴とするレンズの焦点駆動のレスポンスタイム抑制方法としている。
請求項６の発明は、請求項１記載のレンズの焦点駆動のレスポンスタイム抑制方法において、前記可動機構と不可動機構はその間に少なくとも一弾性素子を連接し、且つその弾性素子の可動部は可動機構に連接し、不可動部は不可動機構に連接し、振動吸収素子は弾性素子の可動部と不可動機構の間に連接することを特徴とするレンズの焦点駆動のレスポンスタイム抑制方法としている。
【００１１】
請求項７の発明は、レンズの焦点駆動構造の動態レスポンスタイム抑制構造において、少なくとも基台を含み、その基台の中心に一レンズを設置し、基台四周をコイルで覆う一可動機構と、
四周に数個の磁性素子を嵌合し、中心には可動機構を納置する一フレームと、一前蓋と、一底蓋を少なくとも含む不可動機構と、
可動機構と不可動機構の間に連接し、可動機構の焦点変位から位置決めまでに発生する微動を吸収して、可動機構を安定したレスポンスタイムへ抑制する少なくとも一振動吸収素子を含むことを特徴とするレンズの焦点駆動構造のレスポンスタイム抑制構造としている。
請求項８の発明は、請求項７記載のレンズの焦点駆動構造のレスポンスタイム抑制構造において、前記可動機構と不可動機構は、その間に納置槽口を設置して振動吸収素子を納置することを特徴とするレンズの焦点駆動構造のレスポンスタイム抑制構造としている。
請求項９の発明は、請求項８記載のレンズの焦点駆動構造のレスポンスタイム抑制構造において、前記納置槽口は、前蓋もしくは底蓋上に設置することを特徴とするレンズの焦点駆動構造のレスポンスタイム抑制構造としている。
請求項１０の発明は、請求項７記載のレンズの焦点駆動構造のレスポンスタイム抑制構造において、前記振動吸収素子は、軟性ジェル、軟性バネもしくは軟性ゴムとすることを特徴とするレンズの焦点駆動構造のレスポンスタイム抑制構造としている。
請求項１１の発明は、請求項７記載のレンズの焦点駆動構造のレスポンスタイム抑制構造において、前記レンズの焦点駆動構造の動態レスポンスタイム抑制構造は、可動部と不可動部を設置し、可動部は可動機構に連接し、不可動部は不可動機構に連接し、且つ振動吸収素子は可動部と不可動機構の間に連接する少なくとも一弾性素子を含むことを特徴とするレンズの焦点駆動構造のレスポンスタイム抑制構造としている。
【発明の効果】
【００１２】
本発明のレンズの焦点駆動構造の動態レスポンスタイム抑制方法及び構造は、可動機構が焦点変位から位置決めまでに発生する微動を吸収することにより、可動機構を安定した動態レスポンスタイムに抑制するという利点がある。
【発明を実施するための最良の形態】
【００１３】
本発明は、レンズの焦点時の動態レスポンスタイム(Response Time)を抑制するため、レンズ焦点構造を実施例として説明する。図３に示すのはレンズ焦点駆動構造の立体分解図で、図４のＡは、図３の底面立体部(レンズ省略)であり、図４のＢは、図４のＡ局部拡大概略図である。このレンズ焦点駆動構造２０は、一基台２１、数個の磁性部２３、一フレーム２４、一前蓋２５、一底蓋２６、一筐体２７及び数個の弾性素子２８を含む。そのうち、この基台２１は一コイル３０及び一レンズ３１を含み、その基台２１はフレーム２４の中心に設置し、レンズ３１は基台２１の中心に設置する。またコイル３０は基台２１の四周囲に覆われ、磁性部２３はフレーム２４の四周囲上に設置してコイル３０の外周にちょうど位置し、電場発生効果の固定距離を保つ。
そのうち、弾性素子２８は、導電材に属し、フレーム２４と底蓋２６の間、及びフレーム２４と前蓋の間に設置し、その筐体２７が上述のすべての素子を覆うが、レンズ３１は状況に応じて外に露出する。
【００１４】
図４並びに図５は、本発明の動態レスポンスタイム抑制方法のフローチャートである。本発明に於ける基台２１は可動機構５０に属し、その他の素子は不可動機構６０に属する。本発明は、可動機構５０と不可動機構６０の間に少なくとも一納置槽口６１（Ｓ１００）を設置し、その納置槽口６１内に少なくとも一振動防止素子６２（Ｓ１１０）を設置する。この振動防止素子６２は可動機構５０と不可動機構６０の間（Ｓ１２０）に連接し、可動機構５０が変位して位置決めする時に発生する微動（Ｓ１３０）を吸収することによってレスポンスタイムを抑制する。
【００１５】
図４の実施例及び図６に示すのは、本発明のレンズ焦点駆動機構使用の振動吸収素子の作動状態の断面概略図である。この振動吸収素子６２の一端には底蓋２６を設置し、別一端は基台２１の下側面に設置する。この振動吸収素子６２は軟性ジェル、軟性バネ、もしくは軟性ゴム…等等の振動を吸収する材料もしくは素子とする。この他、本発明は振動吸収素子６２を前蓋２５と基台２１の間、もしくはフレーム２４と基台２１の間に連接することができ、レンズの設置口を避けさえすれば、前蓋２５、底蓋２６、及びフレーム２４と基台２１の間のどこでも振動吸収素子６２を設置することができる。
【００１６】
他に弾性素子２８の可動部は基台２１に連接し、不可動部は前蓋２５もしくは底蓋２６に連接する。これにより、本発明は振動吸収素子６２を弾性素子２８と、前蓋もしくは底蓋２６の不可動機構６０の間に連接し、振動吸収素子６２によって基台２１の変位から位置決めまでに発生する微動を吸収することによって、動態レスポンスタイムを抑制する。
【００１７】
図７は、本発明が振動吸収素子を使用した後を探査した動態レスポンス波形表示図である。図７からわかるのは、本発明に振動吸収素子６２を設置した後、この基台２１が変位して位置決めする時、状態が安定し、動態レスポンスタイムが完全になくなっている。故に動態レスポンスタイムを有効に抑制し、且つ本発明に振動吸収素子６２を更に設置すると、製品の信用テスト内に於ける衝撃及び振動テストでも振動を吸収する効果があり、製品の信頼が更に向上する。
【図面の簡単な説明】
【００１８】
【図１】公知のレンズ焦点駆動機構の立体分解図である。
【図２】公知のレンズ焦点駆動機構の動態レスポンス波形を探査した表示図である。
【図３】本発明のレンズ焦点駆動機構の立体分解図である。
【図４】Ａは図３を組立した後の底側面立体図(レンズの表示省略)、及びＢは局部拡大概略図である。
【図５】本発明の動態レスポンスタイムの抑制方法のフローチャートである。
【図６】本発明のレンズ焦点駆動機構を使用した振動吸収素子の作動状態断面概略図である。
【図７】本発明の振動吸収素子を使用した後の動態レスポンス波形を探査した表示図である。
【符号の説明】
【００１９】
１０        上蓋
１１        下底蓋
１２        外フレーム
１３        四磁石
１４        レンズフレーム
１５        レンズ
１６        コイル
１７        バネ片
２０        焦点駆動構造
２１        基台
２３        磁性部
２４        フレーム
２５        前蓋
２６        底蓋
２７        筐体
２８        弾性素子
３０        コイル
３１        レンズ
５０        可動機構
６０        不可動機構
６１        納置槽口
６２        振動吸収素子
【図１】
2008191497.tif 000003
【図２】
2008191497.tif 000004
【図３】
2008191497.tif 000005
【図４】
2008191497.tif 000006
【図５】
2008191497.tif 000007
【図６】
2008191497.tif 000008
【図７】
2008191497.tif 000009